(57)【要約】      （修正有）【課題】好適な描画デバイスの電子的な消去を提供すること。【解決手段】外部アドレス指定される電気泳動描画デバイスを電子的に消去するためのデバイスおよび技法が、説明される。電子的消去可能な描画デバイス１００は、電気光学ディスプレイ媒体１３と、媒体の１つの表面に隣接して配置され、媒体を中間（グレー）光学状態に駆動するように構成される、互いに組み合わせられた電極とを備える。モバイル電子描画具２０は、フリンジ電場を電気光学ディスプレイ媒体に媒体の片側から印加するように構成される、電極を含み、フリンジ電場は、実装に隣接するディスプレイ媒体の一部を中間光学状態に駆動するように配列され、電極は、媒体に対して移動可能である。【選択図】図１
2019197226.tif 000002
【特許請求の範囲】
【請求項１】
電子的に消去可能な描画デバイスであって、
電気光学ディスプレイと、
２つの独立してアドレス指定可能なスタイラス電極を含むスタイラスと
を備え、
前記電気光学ディスプレイは、
第１の極性を有する第１のセットの荷電された粒子と、前記第１の極性と反対の第２の極性を有する第２のセットの荷電された粒子と、荷電されていない第３のセットの磁性粒子とを備える電気泳動ディスプレイ媒体であって、前記第１、第２、および第３のセットの粒子は、流体内にあり、前記第１のセットの荷電された粒子および前記第２のセットの荷電された粒子は、印加された電場に応答して前記流体内を移動し、前記第３のセットの磁性粒子は、印加された磁場に応答して前記流体内を移動し、前記ディスプレイ媒体は、前記第１のセットの荷電された粒子、前記第２のセットの荷電された粒子、および前記第３のセットの磁性粒子の色ならびにグレー色を表示することが可能である、電気泳動ディスプレイ媒体と、
前記電気泳動ディスプレイ媒体の１つの表面に隣接して配置される、互いに組み合わせられた電極であって、前記電気泳動媒体の描画表面側には電極が配置されておらず、前記描画表面側は、前記互いに組み合わせられた電極と反対の前記電気泳動媒体の第２の表面に隣接する、互いに組み合わせられた電極と、
前記互いに組み合わせられた電極の電位を制御するための電圧コントローラであって、前記電圧コントローラは、前記グレー色を表示するように前記電気光学ディスプレイ媒体の少なくとも一部を駆動するフリンジ電場が前記電気光学媒体に提示されるように前記互いに組み合わせられた電極に電圧を印加することが可能である、電圧コントローラと
を含み、
前記電圧コントローラは、前記互いに組み合わせられた電極のうちの少なくとも１つと前記スタイラス電極のうちの少なくとも１つとの間の電磁差を制御することにより前記ディスプレイ媒体の一部の光学状態を改変するように構成されている、描画デバイス。
【請求項２】
前記電圧コントローラは、異なる極性の電圧を前記互いに組み合わせられた電極のうちの異なる電極に印加するように構成されている、請求項１に記載の描画デバイス。
【請求項３】
前記電圧コントローラは、交流電圧を前記互いに組み合わせられた電極のうちの少なくとも１つに印加するように構成されている、請求項１に記載の描画デバイス。
【請求項４】
前記第１のセットの荷電された粒子、前記第２のセットの荷電された粒子、前記第３のセットの磁性粒子、および前記流体は、複数のカプセルまたはマイクロセル内に閉じ込められるか、もしくはポリマー材料を備える連続相によって囲繞される複数の個々の液滴として存在する、請求項１に記載の描画デバイス。
【請求項５】
前記互いに組み合わせられた電極のピッチが、同一方向における前記カプセル、マイクロセル、または複数の個々の液滴の平均反復距離とほぼ等しい、請求項４に記載の描画デバイス。
【請求項６】
前記互いに組み合わせられた電極間の平均間隙が、前記平均反復距離の半分とほぼ等しい、請求項５に記載の描画デバイス。
【請求項７】
前記互いに組み合わせられた電極は、第１の互いに組み合わせられた電極および第２の互いに組み合わせられた電極を備え、前記電極は、それぞれ、前記電気光学ディスプレイ媒体の第１および第２の部分を駆動するように配列され、前記電圧コントローラは、相互に独立して前記第１および第２の互いに組み合わせられた電極を制御するように構成される、請求項１に記載の描画デバイス。
【請求項８】
前記ディスプレイ媒体の前記１つの表面の対向側上の描画表面を有する、請求項１に記載の描画デバイス。
【請求項９】
前記ディスプレイ媒体は、カラーディスプレイ媒体である、請求項１に記載の描画デバイス。
【請求項１０】
前記スタイラスは、有線接続で前記電圧コントローラに結合されている、請求項１に記載の描画デバイス。
【請求項１１】
前記スタイラスは、ワイヤレスで前記電圧コントローラに結合されている、請求項１に記載の描画デバイス。
【請求項１２】
前記スタイラス電極は、前記ディスプレイ媒体の一部の前記光学状態を改変するようにフリンジ電場を提供するように構成されている、請求項１に記載の描画デバイス。
【請求項１３】
前記第１のセットの荷電された粒子、前記第２のセットの荷電された粒子、および前記第３のセットの磁性粒子は、異なった色になっている、請求項１に記載の描画デバイス。
【請求項１４】
前記第１のセットの荷電された粒子の色は白色であり、前記第２のセットの荷電された粒子の色は黒色である、請求項１３に記載の描画デバイス。
【請求項１５】
前記第２のセットの荷電された粒子よりも多く前記電気光学媒体内に前記第１のセットの荷電された粒子が存在する、請求項１４に記載の描画デバイス。
【請求項１６】
前記第１のセットの荷電された粒子の色は白色であり、前記第２のセットの荷電された粒子の色は赤色であり、前記第３のセットの磁性粒子の色はシアン色である、請求項１３に記載の描画デバイス。
【発明の詳細な説明】
【技術分野】
【０００１】
本発明は、電気光学描画デバイス、特に、電気泳動描画デバイスを用いて作成された画像を電子的に消去するためのデバイスおよび技法に関する。
【発明の概要】
【課題を解決するための手段】
【０００２】
本発明は、
２つの極限光学状態を表示可能な電気光学ディスプレイ媒体と、
電気泳動ディスプレイ媒体の１つの表面に隣接して配置される、互いに組み合わせられた電極と、
電気光学ディスプレイ媒体の少なくとも一部が媒体の２つの極限光学状態の中間の状態に駆動されるように、互いに組み合わせられた電極の電位を制御し、互いに組み合わせられた電極電圧を印加可能であるための電圧制御手段と、
を備える、電子的に消去可能な描画デバイスを提供する。
【０００３】
本電子的に消去可能な描画デバイスでは、互いに組み合わせられた電極上の電圧は、フリンジ電場を電気光学媒体に印加するように配列されてもよい。電圧制御手段は、異なる極性の電圧を互いに組み合わせられた電極の異なるものに印加する、または交流電圧を互いに組み合わせられた電極のうちの少なくとも１つに印加するように配列されてもよい。電気光学媒体は、流体内に配置され、電場の影響下で流体を通して移動可能な複数の電気的に荷電された粒子を備える、電気泳動媒体を備えてもよい。流体は、液体またはガス状であってもよい。電気的に荷電された粒子および流体は、複数のカプセルもしくはマイクロセル内に閉じ込められる、またはポリマー材料を備える連続相によって囲繞される複数の個々の液滴として存在してもよい。互いに組み合わせられた電極のピッチは、同一方向におけるカプセル、マイクロセル、または複数の離散液滴内の平均反復距離とほぼ等しくてもよく、互いに組み合わせられた電極間の平均間隙は、本平均反復距離の半分とほぼ等しくてもよい。描画デバイスは、それぞれ、電気光学ディスプレイ媒体の第１および第２の部分を駆動するように配列される、第１および第２の互いに組み合わせられた電極を備えてもよく、電圧制御手段が、相互に独立して第１および第２の互いに組み合わせられた電極を制御するように構成されてもよい。描画デバイスは、互いに組み合わせられた電極を支承するディスプレイ媒体の１つの表面の対向側上の描画表面を有してもよい。描画デバイスはさらに、描画表面にわたって移動可能な可動描画具を備えてもよく、電圧制御手段が、互いに組み合わせられた電極のうちの少なくとも１つと描画具との間の電位差を制御し、ディスプレイ媒体の一部の光学状態を改変するように配列されてもよい。ディスプレイ媒体は、カラーディスプレイ媒体、例えば、異なる光学および電気泳動特性を有する少なくとも３つの異なるタイプの電気泳動粒子を備える、カラー電気泳動ディスプレイ媒体であってもよい。
【０００４】
本発明はまた、
２つの極限光学状態を表示可能な電気光学ディスプレイ媒体と、
電気泳動ディスプレイ媒体の１つの表面に隣接して配置される、少なくとも２つの電極と、
フリンジ電場をディスプレイ媒体に印加し、それによって、ディスプレイ媒体の少なくとも一部を媒体の２つの極限光学状態の中間の状態に駆動するように、少なくとも２つの電極の電位を制御するための電圧制御手段と、
を備える、電子的に消去可能な描画デバイスを提供する。
【０００５】
本発明の本描画デバイスは、前述の描画デバイスの随意の特徴のいずれかを有してもよい。特に、電気光学材料は、流体内に配置され、電場の影響下で流体を通して移動可能な複数の電気的に荷電された粒子を備える、電気泳動材料を備えてもよい。流体は、液体またはガス状であってもよい。電気的に荷電された粒子および流体は、複数のカプセルもしくはマイクロセル内に閉じ込められる、またはポリマー材料を備える連続相によって囲繞される複数の個々の液滴として存在してもよい。
【０００６】
本発明はまた、２つの極限光学状態を表示可能な電気光学ディスプレイ媒体を駆動するための電子描画具（スタイラスの形態であってもよい）であって、フリンジ電場をディスプレイ媒体にディスプレイ媒体の片側から印加するように構成される、少なくとも電極を備え、フリンジ電場は、少なくとも２つの電極に隣接するディスプレイ媒体の一部を中間光学状態に駆動するように構成され、少なくとも２つの電極は、ディスプレイ媒体に対して移動可能である、描画具を提供する。
【０００７】
そのような描画具では、異なる極性の電圧が、少なくとも２つの電極の異なるものに印加されてもよい、および／または交流電圧が、少なくとも２つの電極のうちの２つの間に印加されてもよい。少なくとも２つの電極はまた、磁場をディスプレイ媒体に印加可能であってもよい。
本明細書は、例えば、以下の項目も提供する。
（項目１）
電子的に消去可能な描画デバイス（１００；３００；５００；６００）であって、
２つの極限光学状態を表示することが可能な電気光学ディスプレイ媒体（１３；３１６；５１６）
を備え、
前記描画デバイス（１００；３００；５００；６００）は、
前記電気泳動ディスプレイ媒体（１３；３１６；５１６）の１つの表面に隣接して配置される、互いに組み合わせられた電極（３３２、３３４）と、
前記電気光学ディスプレイ媒体（１３；３１６；５１６）の少なくとも一部が前記媒体の２つの極限光学状態の中間の状態に駆動されるように、前記互いに組み合わせられた電極（３３２、３３４）の電位を制御し、前記互いに組み合わせられた電極（３３２、３３４）に電圧を印加可能である電圧制御手段と
を特徴とする、描画デバイス（１００；３００；５００；６００）。
（項目２）
前記互いに組み合わせられた電極（３３２、３３４）上の電圧は、フリンジ電場を前記電気光学媒体に印加するように配列される、項目１に記載の描画デバイス。
（項目３）
前記電圧制御手段は、異なる極性の電圧を前記互いに組み合わせられた電極の異なるものに印加するように配列される、項目１に記載の描画デバイス。
（項目４）
前記電圧制御手段は、交流電圧を前記互いに組み合わせられた電極（３３２、３３４）のうちの少なくとも１つに印加するように配列される、項目１に記載の描画デバイス。
（項目５）
前記電気光学材料は、流体内に配置され、電場の影響下で流体を通して移動することが可能な複数の電気的に荷電された粒子（１、２、３）を備える、電気泳動材料（１３；３１６；５１６）を備える、項目１に記載の描画デバイス。
（項目６）
前記電気的に荷電された粒子（１、２、３）および前記流体は、複数のカプセル（３４２ａ−３４２ｇ）もしくはマイクロセル内に閉じ込められる、またはポリマー材料を備える連続相によって囲繞される複数の個々の液滴として存在する、項目５に記載の描画デバイス。
（項目７）
前記互いに組み合わせられた電極のピッチは、同一方向における前記カプセル、マイクロセル、または複数の離散液滴内の平均反復距離とほぼ等しい、および／または前記互いに組み合わせられた電極間の平均間隙は、前記平均反復距離の半分とほぼ等しい、項目６に記載の描画デバイス。
（項目８）
第１および第２の互いに組み合わせられた電極を備え、前記第１および第２の互いに組み合わせられた電極は、それぞれ、前記電気光学ディスプレイ媒体の第１および第２の部分を駆動するように配列され、前記電圧制御手段は、相互に独立して前記第１および第２の互いに組み合わせられた電極を制御するように構成される、項目１に記載の描画デバイス。
（項目９）
前記ディスプレイ媒体の前記１つの表面の対向側上の描画表面と、前記描画表面にわたって移動可能な可動描画具（２０；２０ａ；２０ｂ）とをさらに備え、前記電圧制御手段は、前記互いに組み合わせられた電極のうちの少なくとも１つと前記描画具との間の電位差を制御し、前記ディスプレイ媒体の一部の光学状態を改変するように配列される、項目１に記載の描画デバイス。
（項目１０）
前記ディスプレイ媒体は、カラーディスプレイ媒体である、項目１に記載の描画デバイス。
（項目１１）
電子的に消去可能な描画デバイス（１００；３００；５００；６００）であって、
２つの極限光学状態を表示可能な電気光学ディスプレイ媒体（１３；３１６；５１６）
を備え、
前記描画デバイスは、
前記電気泳動ディスプレイ媒体の１つの表面に隣接して配置される、少なくとも２つの電極（３３２、３３４）と、
フリンジ電場を前記ディスプレイ媒体に印加し、それによって、前記ディスプレイ媒体の少なくとも一部を前記媒体の２つの極限光学状態の中間の状態に駆動するように、前記少なくとも２つの電極（３３２、３３４）の電位を制御するための電圧制御手段と、
を特徴とする、描画デバイス。
（項目１２）
前記電気光学材料（１３；３１６；５１６）は、流体内に配置され、電場の影響下で流体を通して移動することが可能な複数の電気的に荷電された粒子（１、２、３）を備える、電気泳動材料を備える、項目１１に記載の描画デバイス。
（項目１３）
前記電気的に荷電された粒子（１、２、３）および前記流体は、複数のカプセル（３４２ａ−３４２ｇ）またはマイクロセル内に閉じ込められる、もしくはポリマー材料を備える連続相によって囲繞される複数の個々の液滴として存在する、項目１２に記載の描画デバイス。
（項目１４）
２つの極限光学状態を表示可能な電気光学ディスプレイ媒体（１３；３１６；５１６）を駆動するための電子描画具（２０、２０ａ、２０ｂ）であって、前記電子描画具は、少なくとも電極（２６ａ、２６ｂ、２６ｃ）が、フリンジ電場を前記ディスプレイ媒体（１３；３１６；５１６）に前記ディスプレイ媒体の片側から印加するように構成され、前記フリンジ電場は、前記少なくとも２つの電極（２６ａ、２６ｂ、２６ｃ）に隣接する前記ディスプレイ媒体（１３；３１６；５１６）の一部を中間光学状態に駆動するように構成され、前記少なくとも２つの電極（２６ａ、２６ｂ、２６ｃ）は、前記ディスプレイ媒体に対して移動可能であることを特徴とする、描画具。
（項目１５）
異なる極性の電圧を前記少なくとも２つの電極の異なるものに印加する、および／または前記少なくとも２つの電極のうちの２つの間の交流電圧ならびに／もしくは磁場を前記ディスプレイ媒体に印加するように配列される、項目１４に記載の描画具。
【図面の簡単な説明】
【０００８】
【図１】添付の図面の図１は、本発明の第１の描画デバイスを通した概略断面図である。
【０００９】
【図２】図２は、ディスプレイをアドレス指定するための本発明の描画具を通した概略断面図である。
【００１０】
【図３Ａ】図３Ａは、本発明の第２の描画デバイスを通した概略断面図である。
【００１１】
【図３Ｂ】図３Ｂは、図３Ａの描画デバイスを組み込む、描画システムを通した概略断面図である。
【００１２】
【図３Ｃ】図３Ｃは、図３Ａのものに類似する概略断面図である。
【００１３】
【図３Ｄ】図３Ｄは、図３Ａ−３Ｃの描画デバイスにおいて使用される互いに組み合わせられた電極のセットの上部平面図である。
【００１４】
【図４Ａ】図４Ａは、本発明の第２の描画具を通した図２のものに類似する概略断面図である。
【００１５】
【図４Ｂ】図４Ｂは、図４Ａに示される描画具の底部平面図である。
【００１６】
【図５】図５Ａおよび５Ｂは、本発明の第２の描画システムを通した図３Ｂのものに類似する概略断面図である。
【００１７】
【図６Ａ】図６Ａは、本発明のカラー描画デバイスを通した図３Ａのものに類似する概略断面図である。
【００１８】
【図６Ｂ】図６Ｂ−６Ｄは、図６Ａの描画デバイスを組み込む描画システムの３つの異なる光学状態を示す、図３Ｂのものに類似する概略断面図である。
【図６Ｃ】図６Ｂ−６Ｄは、図６Ａの描画デバイスを組み込む描画システムの３つの異なる光学状態を示す、図３Ｂのものに類似する概略断面図である。
【図６Ｄ】図６Ｂ−６Ｄは、図６Ａの描画デバイスを組み込む描画システムの３つの異なる光学状態を示す、図３Ｂのものに類似する概略断面図である。
【発明を実施するための形態】
【００１９】
図面に示される本発明の具体的実施形態を詳細に説明する前に、電気光学ディスプレイに関するある背景情報を記載することが適切であると考えられる。
【００２０】
用語「電気光学」は、材料またはディスプレイに適用されるように、結像技術分野におけるその従来的な意味で使用され、少なくとも１つの光学特性が異なる第１および第２の表示状態を有する材料であって、材料への電場の印加によって、その第１からその第２の表示状態に変化される、材料を指すために、本明細書で使用される。光学特性は、典型的には、ヒトの眼に知覚可能な色であるが、光学透過率、反射率、ルミネッセンス、または機械読取のために意図されるディスプレイの場合、可視範囲外の電磁波長の反射の変化の意味における擬似色等の別の光学特性であってもよい。
【００２１】
いくつかの電気光学材料は、材料が固体の外面を有するという意味で固体であるが、材料は、内部液体または気体充填空間を有し得、多くの場合、それを有する。そのような固体電気光学材料を使用するディスプレイは、以降では、便宜上、「固体電気光学ディスプレイ」と称され得る。したがって、用語「固体電気光学ディスプレイ」は、回転２色部材ディスプレイ、カプセル化電気泳動ディスプレイ、マイクロセル電気泳動ディスプレイ、およびカプセル化液晶ディスプレイ（全て以下により詳細に議論される）を含む。
【００２２】
「グレー状態」という用語は、画像技術におけるその従来の意味において、画素の２つの極限光学状態の中間の状態を指すために、本明細書で使用され、必ずしもこれら２つの極限状態の間の黒白遷移を暗示するわけではない。用語「黒色」および「白色」は、ディスプレイの２つの極限光学的状態を指すように以降で使用される場合があり、例えば、前述の白色および濃青色状態等の厳密には黒色ならびに白色ではない極限光学的状態を通常含むものとして理解されるべきである。
【００２３】
用語「消去する」は、本明細書では、結像技術分野におけるその従来的な意味で使用され、ディスプレイの一部（例えば、ピクセル、複数のピクセル、領域、またはディスプレイ全体）を情報を視認者に伝達する状態（例えば、ディスプレイ全体の場合、対比光学特性を有する領域を用いて）から情報を伝達しない状態（ディスプレイ全体の場合、極限状態または中間状態であり得る、均一状態）に設定するプロセスを指す。
【００２４】
「双安定」および「双安定性」という用語は、当技術分野におけるそれらの従来の意味において、少なくとも１つの光学特性が異なる第１および第２の表示状態を有する表示要素を備えるディスプレイであって、その第１または第２の表示状態のうちのいずれか一方を呈するように、有限持続時間のアドレス指定パルスを用いて、所与の要素が駆動されてから、アドレス指定パルスが終了した後に、表示要素の状態を変化させるために必要とされるアドレス指定パルスの最小持続時間の少なくとも数倍、例えば、少なくとも４倍、その状態が続くようなディスプレイを指すために、本明細書で使用される。米国特許第７，１７０，６７０号では、グレースケール対応のいくつかの粒子ベースの電気泳動ディスプレイが、その極限の黒色および白色状態においてだけではなく、また、それらの中間グレー状態においても、安定しており、同じことがいくつかの他のタイプの電気光学ディスプレイにも当てはまることが示されている。本タイプのディスプレイは、双安定性よりもむしろ「多安定性」と正しくは呼ばれるが、便宜上、「双安定性」という用語が、双安定性および多安定性ディスプレイの両方を網羅するために本明細書で使用され得る。
【００２５】
いくつかのタイプの電気光学ディスプレイが、知られている。例えば、以下である。
ａ）回転２色部材タイプ（例えば、米国特許第５，８０８，７８３号、第５，７７７，７８２号、第５，７６０，７６１号、第６，０５４，０７１号、第６，０５５，０９１号、第６，０９７，５３１号、第６，１２８，１２４号、第６，１３７，４６７号、および第６，１４７，７９１号参照（本タイプのディスプレイは、多くの場合、「回転２色ボール」ディスプレイと称されるが、前述のいくつかの特許では、回転部材は球形ではないため、「回転２色部材」という用語が、より正確なものとして好ましい））。本タイプの電気光学媒体は、典型的には、双安定である。
ｂ）エレクトロクロミック媒体、例えば、少なくとも部分的に半導電性金属酸化物から形成される電極と、電極に取り付けられる、可逆変色が可能な複数の色素分子とを備える、ナノクロミックフィルムの形態のエレクトロクロミック媒体（例えば、Ｏ'Ｒｅｇａｎ，  Ｂ．，  ｅｔ  ａｌ．，  Ｎａｔｕｒｅ  １９９１，３５３，７３７およびＷｏｏｄ，  Ｄ．，  Ｉｎｆｏｒｍａｔｉｏｎ  Ｄｉｓｐｌａｙ，１８（３），２４（Ｍａｒｃｈ  ２００２）参照。また、Ｂａｃｈ，  Ｕ．，  ｅｔ  ａｌ．，  Ａｄｖ．  Ｍａｔｅｒ．，  ２００２，１４（１１），８４５ならびに米国特許第６，３０１，０３８号、第６，８７０，６５７号、および第６，９５０，２２０号参照）。本タイプの媒体もまた、典型的には、双安定性である。ｃ）Ｐｈｉｌｉｐｓによって開発され、Ｈａｙｅｓ，  Ｒ．Ａ．，  ｅｔ  ａｌ．，"Ｖｉｄｅｏ−Ｓｐｅｅｄ  Ｅｌｅｃｔｒｏｎｉｃ  Ｐａｐｅｒ  Ｂａｓｅｄ  ｏｎ  Ｅｌｅｃｔｒｏｗｅｔｔｉｎｇ"，  Ｎａｔｕｒｅ，  ４２５，３８３−３８５（２００３）に説明される、エレクトロウェッティングディスプレイ。米国特許第７，４２０，５４９号において、そのようなエレクトロウェッティングディスプレイが、双安定性に作製され得ることが示されている。
【００２６】
長年にわたって集中的な研究および開発の対象とされてきた、電気光学ディスプレイの一タイプは、粒子ベースの電気泳動ディスプレイであり、複数の荷電粒子は、電場の影響下で流体を通って移動する。
【００２７】
前述のように、電気泳動媒体は、流体の存在を必要とする。従来技術の電気泳動媒体の殆どにおいて、本流体は、液体であるが、電気泳動媒体は、ガス状流体を使用して生成され得、例えば、Ｋｉｔａｍｕｒａ，  Ｔ．，  ｅｔ  ａｌ．，"Ｅｌｅｃｔｒｉｃａｌ  ｔｏｎｅｒ  ｍｏｖｅｍｅｎｔ  ｆｏｒ  ｅｌｅｃｔｒｏｎｉｃ  ｐａｐｅｒ−ｌｉｋｅ  ｄｉｓｐｌａｙ"，ＩＤＷ  Ｊａｐａｎ，  ２００１，  Ｐａｐｅｒ  ＨＣＳ１−１、およびＹａｍａｇｕｃｈｉ，  Ｙ．，  ｅｔ  ａｌ．，"Ｔｏｎｅｒ  ｄｉｓｐｌａｙ  ｕｓｉｎｇ  ｉｎｓｕｌａｔｉｖｅ  ｐａｒｔｉｃｌｅｓ  ｃｈａｒｇｅｄ  ｔｒｉｂｏｅｌｅｃｔｒｉｃａｌｌｙ"，ＩＤＷ  Ｊａｐａｎ，  ２００１，Ｐａｐｅｒ  ＡＭＤ４−４を参照されたい。また、米国特許第７，３２１，４５９号および第７，２３６，２９１号も参照されたい。
【００２８】
Ｍａｓｓａｃｈｕｓｅｔｔｓ  Ｉｎｓｔｉｔｕｔｅ  ｏｆ  Ｔｅｃｈｎｏｌｏｇｙ（ＭＩＴ）、Ｅ  Ｉｎｋ  Ｃｏｒｐｏｒａｔｉｏｎ、Ｅ  Ｉｎｋ  Ｃａｌｉｆｏｒｎｉａ，ＬＬＣ、ならびに関連する企業に譲渡された、またはそれらの名義である多数の特許および出願は、カプセル化およびマイクロセル電気泳動ならびに他の電気光学媒体において使用される種々の技術を説明する。カプセル化電気泳動媒体は、多数の小型カプセルを備え、そのそれぞれ自体は、電気泳動により移動可能な粒子を流体媒体中に含有する内相と、内相を囲繞するカプセル壁とを備える。典型的には、カプセルは、それ自体がポリマー結合剤内に保持され、２つの電極間に位置付けられるコヒーレント層を形成する。マイクロセル電気泳動ディスプレイでは、荷電粒子および流体は、マイクロカプセル内にカプセル化されないが、代わりに、典型的にはポリマーフィルムである、搬送媒体内に形成された複数の空洞内に保定される。これらの特許および出願に説明される技術は、以下を含む。
（ａ）電気泳動粒子、流体、および流体添加物（例えば、米国特許第７，００２，７２８号および第７，６７９，８１４号参照）
（ｂ）カプセル、結合剤、およびカプセル化プロセス（例えば、米国特許第６，９２２，２７６号および第７，４１１，７１９号参照）
（ｃ）マイクロセル構造、壁材料、およびマイクロセルを形成する方法（例えば、米国特許第７，０７２，０９５号および米国特許出願公開第２０１４／００６５３６９号参照）（ｄ）マイクロセルを充填およびシールするための方法（例えば、米国特許第７，１４４，９４２号および米国特許出願公開第２００８／０００７８１５号参照）
（ｅ）電気光学材料を含有するフィルムおよびサブアセンブリ（例えば、米国特許第６，９８２，１７８号および第７，８３９，５６４号参照）
（ｆ）バックプレーン、接着材層、および他の補助層、ならびにディスプレイにおいて使用される方法（例えば、米国特許第７，１１６，３１８号および第７，５３５，６２４号参照）
（ｇ）色形成および色調節（例えば、米国特許第７，０７５，５０２号および第７，８３９，５６４号参照）
（ｈ）ディスプレイを駆動するための方法（例えば、米国特許第５，９３０，０２６号、第６，４４５，４８９号、第６，５０４，５２４号、第６，５１２，３５４号、第６，５３１，９９７号、第６，７５３，９９９号、第６，８２５，９７０号、第６，９００，８５１号、第６，９９５，５５０号、第７，０１２，６００号、第７，０２３，４２０号、第７，０３４，７８３号、第７，０６１，１６６号、第７，０６１，６６２号、第７，１１６，４６６号、第７，１１９，７７２号、第７，１７７，０６６号、第７，１９３，６２５号、第７，２０２，８４７号、第７，２４２，５１４号、第７，２５９，７４４号、第７，３０４，７８７号、第７，３１２，７９４号、第７，３２７，５１１号、第７，４０８，６９９号、第７，４５３，４４５号、第７，４９２，３３９号、第７，５２８，８２２号、第７，５４５，３５８号、第７，５８３，２５１号、第７，６０２，３７４号、第７，６１２，７６０号、第７，６７９，５９９号、第７，６７９，８１３号、第７，６８３，６０６号、第７，６８８，２９７号、第７，７２９，０３９号、第７，７３３，３１１号、第７，７３３，３３５号、第７，７８７，１６９号、第７，８５９，７４２号、第７，９５２，５５７号、第７，９５６，８４１号、第７，９８２，４７９号、第７，９９９，７８７号、第８，０７７，１４１号、第８，１２５，５０１号、第８，１３９，０５０号、第８，１７４，４９０号、第８，２４３，０１３号、第８，２７４，４７２号、第８，２８９，２５０号、第８，３００，００６号、第８，３０５，３４１号、第８，３１４，７８４号、第８，３７３，６４９号、第８，３８４，６５８号、第８，４５６，４１４号、第８，４６２，１０２号、第８，５３７，１０５号、第８，５５８，７８３号、第８，５５８，７８５号、第８，５５８，７８６号、第８，５５８，８５５号、第８，５７６，１６４号、第８，５７６，２５９号、第８，５９３，３９６号、第８，６０５，０３２号、第８，６４３，５９５号、第８，６６５，２０６号、第８，６８１，１９１号、第８，７３０，１５３号、第８，８１０，５２５号、第８，９２８，５６２号、第８，９２８，６４１号、第８，９７６，４４４号、第９，０１３，３９４号、第９，０１９，１９７号、第９，０１９，１９８号、第９，０１９，３１８号、第９，０８２，３５２号、第９，１７１，５０８号、第９，２１８，７７３号、第９，２２４，３３８号、第９，２２４，３４２号、第９，２２４，３４４号、第９，２３０，４９２号、第９，２５１，７３６号、第９，２６２，９７３号、第９，２６９，３１１号、第９，２９９，２９４号、第９，３７３，２８９号、第９，３９０，０６６号、第９，３９０，６６１号、および第９，４１２，３１４号、ならびに米国特許出願公開第２００３／０１０２８５８号、第２００４／０２４６５６２号、第２００５／０２５３７７７号、第２００７／００７００３２号、第２００７／００７６２８９号、第２００７／００９１４１８号、第２００７／０１０３４２７号、第２００７／０１７６９１２号、第２００７／０２９６４５２号、第２００８／００２４４２９号、第２００８／００２４４８２号、第２００８／０１３６７７４号、第２００８／０１６９８２１号、第２００８／０２１８４７１号、第２００８／０２９１１２９号、第２００８／０３０３７８０号、第２００９／０１７４６５１号、第２００９／０１９５５６８号、第２００９／０３２２７２１号、第２０１０／０１９４７３３号、第２０１０／０１９４７８９号、第２０１０／０２２０１２１号、第２０１０／０２６５５６１号、第２０１０／０２８３８０４号、第２０１１／００６３３１４号、第２０１１／０１７５８７５号、第２０１１／０１９３８４０号、第２０１１／０１９３８４１号、第２０１１／０１９９６７１号、第２０１１／０２２１７４０号、第２０１２／０００１９５７号、第２０１２／００９８７４０号、第２０１３／００６３３３３号、第２０１３／０１９４２５０号、第２０１３／０２４９７８２号、第２０１３／０３２１２７８号、第２０１４／０００９８１７号、第２０１４／００８５３５５号、第２０１４／０２０４０１２号、第２０１４／０２１８２７７号、第２０１４／０２４０２１０号、第２０１４／０２４０３７３号、第２０１４／０２５３４２５号、第２０１４／０２９２８３０号、第２０１４／０２９３３９８号、第２０１４／０３３３６８５号、第２０１４／０３４０７３４号、第２０１５／００７０７４４号、第２０１５／００９７８７７号、第２０１５／０１０９２８３号、第２０１５／０２１３７４９号、第２０１５／０２１３７６５号、第２０１５／０２２１２５７号、第２０１５／０２６２２５５号、第２０１６／００７１４６５号、第２０１６／００７８８２０号、第２０１６／００９３２５３号、第２０１６／０１４０９１０号、および第２０１６／０１８０７７７号参照）
（ｉ）ディスプレイの適用（例えば、米国特許第７，３１２，７８４号および第８，００９，３４８号参照）
（ｊ）米国特許第６，２４１，９２１号および米国特許出願公開第２０１５／０２７７１６０号に説明されるような非電気泳動ディスプレイならびにディスプレイ以外のカプセル化およびマイクロセル技術の適用（例えば、米国特許第７，６１５，３２５号ならびに米国特許出願公開第２０１５／０００５７２０号および第２０１６／００１２７１０号参照）
【００２９】
前述の特許および出願の多くは、カプセル化電気泳動媒体内の個々のマイクロカプセルを囲繞する壁は、連続相によって取って代わられ得、したがって、いわゆるポリマー分散型電気泳動ディスプレイを生成し、電気泳動媒体は、複数の個々の電気泳動流体の液滴と、ポリマー材料の連続相とを備え、そのようなポリマー分散型電気泳動ディスプレイ内の電気泳動流体の個々の液滴は、個々のカプセル膜がそれぞれの個々の液滴と関連付けられないにもかかわらず、カプセルまたはマイクロカプセルとして見なされ得ると認識し、例えば、前述の米国特許第６，８６６，７６０号を参照されたい。故に、本出願の目的のために、そのようなポリマー分散型電気泳動媒体は、カプセル化電気泳動媒体の亜種として見なされる。
【００３０】
電気泳動媒体は、多くの場合、不透明であり（例えば、多くの電気泳動媒体では、粒子は、実質的にディスプレイを通しての可視光線の伝送を遮るため）、反射モードで動作するが、多くの電気泳動ディスプレイは、いわゆる「シャモード」で動作するように作製され得、１つのディスプレイ状態は、実質的に不透明であり、１つは光透過性である。例えば、米国特許第５，８７２，５５２号、第６，１３０，７７４号、第６，１４４，３６１号、第６，１７２，７９８号、第６，２７１，８２３号、第６，２２５，９７１号、および第６，１８４，８５６号を参照されたい。電気泳動ディスプレイと類似するが、電場強度における変動に依拠する、電気泳動ディスプレイは、類似モードで動作し得る。米国特許第４，４１８，３４６号を参照されたい。他のタイプの電気光学ディスプレイもまた、シャッタモードで動作することも可能であり得る。シャッタモードで動作する電気光学媒体は、フルカラーディスプレイのための多層構造において有用であり得、そのような構造では、ディスプレイの視認表面に隣接する少なくとも１つの層は、視認表面からより遠い第２の層を暴露または隠蔽するために、シャッタモードで動作する。
【００３１】
カプセル化電気泳動ディスプレイは、典型的には、従来の電気泳動デバイスの集塊化および沈降失敗モードを被らず、多種多様の可撓性および剛性基板上にディスプレイを印刷または被覆する能力等のさらなる利点を提供する。（「印刷」という言葉の使用は、限定ではないが、パッチダイコーティング、スロットまたは押出コーティング、スライドまたはカスケードコーティング、カーテンコーティング等の事前計量コーティング、ナイフオーバーロールコーティング、フォワード・リバースロールコーティング等のロールコーティング、グラビアコーティング、浸漬コーティング、スプレーコーティング、メニスカスコーティング、スピンコーティング、ブラシコーティング、エアナイフコーティング、シルクスクリーン印刷プロセス、静電印刷プロセス、感熱印刷プロセス、インクジェット印刷プロセス、電気泳動堆積（米国特許第７，３３９，７１５号参照）、および他の類似技法を含む、あらゆる形態の印刷ならびにコーティングを含むことを目的としている。）したがって、結果として生じるディスプレイは、可撓性であり得る。さらに、ディスプレイ媒体を（種々の方法を使用して）印刷することができるため、ディスプレイ自体を安価に作製することができる。
【００３２】
他のタイプの電気光学媒体もまた、本発明のディスプレイで使用されてもよい。
【００３３】
電気光学ディスプレイ上への画像のレンダリングは、異なる電場またはインパルスを電気光学材料の異なる領域に印加することによってもたらされる。（用語「インパルス」は、本明細書では、時間に対する電圧の積分のその従来の意味において使用される。しかしながら、いくつかの双安定電気光学媒体は、電荷変換器として作用し、そのような媒体では、インパルスの代替定義、すなわち、経時的電流の積分（印加される総電荷に等しい）が、使用され得る。インパルスの適切な定義は、媒体が電圧時間インパルス変換器または電荷インパルス変換器として作用するかどうかに応じて使用されるべきである。）いくつかの単安定電気光学媒体、例えば、液晶では、ディスプレイの各ピクセルに印加される電場を制御することのみ必要である。すなわち、液晶材料は、最終的に、印加された電場の値と関連付けられたグレーレベルを採用する。双安定電気光学媒体では、通常、印加された電場および印加される周期の両方を制御することが必要であって、駆動方法に関して前述の特許および公開出願のいくつかにおいて議論されるように、メモリ効果、電場に対する非線形応答等に起因して、付加的複雑性が存在する。さらに、双安定電気光学媒体は、両方向、例えば、白色から黒色および黒色から白色に駆動されなければならない。
【００３４】
単安定電気光学媒体を使用する電気光学ディスプレイ上での画像の消去は、単に、全印加された電場をオフにし、それに応じて、電気光学媒体の全体がその単一安定状態に戻り、したがって、均一光学状態を採用することによって、容易に達成されることができる。双安定媒体を使用する電気光学ディスプレイ上での画像の消去は、（全ピクセルが同一光学状態になり得るように）任意の具体的ピクセルを１つの具体的光学状態に駆動するために必要とされるインパルスが、消去に先立ってピクセルの光学状態に伴って変動するため、それほど単純ではない。さらに、ある手順が、ディスプレイの駆動に関して前述の特許および出願のいくつかに議論されるように、あるタイプの電気光学ディスプレイの電気光学特性に損傷および有害作用を生じさせ得る、ＤＣ不平衡の問題を導入するであろうため、例えば、黒色／白色ディスプレイの全ピクセルが、黒色移行電場を長期間印加することによって均一黒色に駆動され得ると考えられ得る。
【００３５】
バックプレーン上に固定電極を有する電気光学ディスプレイ上での画像の消去（そのようなディスプレイは、直接駆動、パッシブマトリクス、またはアクティブマトリクスタイプであり得る）は、ディスプレイの種々のピクセルを均一光学状態に駆動するための波形の慎重な選択によって達成されることができる。しかしながら、画像の消去は、画像が、電場が描画具内の電極とディスプレイ内の電極との間に形成されるように、スタイラスまたは印刷ヘッド等の描画具を電気光学ディスプレイの描画表面に近接近させる、またはそれと接触させることによって形成される、いわゆる「外部アドレス指定」ディスプレイ（便宜上、以降、「スタイラス駆動式」ディスプレイと称され得る）では、深刻な問題である。これまで、スタイラス駆動式ディスプレイ上での画像の消去は、筆記具を消去されるべきディスプレイの部分にわたって移動させることを要求する、局所的消去、すなわち、描画具を消去される必要のないディスプレイの部分と接触させることによって光学状態における望ましくない変化を非常に生成しやすいという点において、非常にエラーを被りやすい、低速かつ煩雑なプロセスによって達成されている。本消去手順の低速、煩雑、かつエラーを被りやすい性質は、スタイラス駆動式ディスプレイの市場での容認を著しく阻んでいる。故に、スタイラス駆動式ディスプレイの大域的消去のための方法の必要性があり、大域的消去方法は、他のタイプのディスプレイにも有用に適用されることができる。（「大域的消去」とは、ディスプレイの全ピクセルを本質的に均一光学状態にリセットすることを要求する。これは、全ピクセルがちょうど同時にアドレス指定されることを要求するものではないが、例えば、数秒を上回らない短時間内に全ピクセルがアドレス指定されることが好ましい。）
【００３６】
本発明によると、スタイラス駆動式および他の電気光学ディスプレイの消去は、媒体の反対表面上の電極間に電場を発生させるのではなく、ディスプレイの電気光学媒体の同一側の電極間に電場を発生させることによって、達成されることができる。電場は、フリンジ電場であってもよく、この用語は、本明細書では、異なる電位に保持される２つの電極が位置する平面から外に発生される、電場を指すために使用される。電気技術における当業者に周知であるように、異なる電位が、共通平面内に位置する２つの（またはそれを上回る）電極に印加されると、電極間の電場は、隣接する力線間の反発のため、共通平面に閉じ込められず、本平面と垂直な両方向において外向きに延在する。電極は、互いに組み合わせられてもよく、この用語は、本明細書では、２つの手の上で組み合わせられた指に類似するというその通常の意味で使用される。より具体的には、２つの電極は、一方の電極の伸長部分が他方の電極の２つの伸長部分との間に延在し、それと略平行である場合、互いに組み合わせられると考えられる。
【００３７】
本発明の描画デバイスおよび描画具は、ディスプレイ全体が、非常に短い時間量（例えば、１秒未満）で、非常に単純な制御機構を使用して（例えば、デバイスの電極に印加される信号を制御するスイッチをアクティブ化して）、消去される（すなわち、大域的に消去される）ことを可能にすることができる。本発明の描画具は、スタイラス駆動式ディスプレイの一部を局所的に消去するために使用されてもよい。描画具は、２つまたはそれを上回る電極を含んでもよく、描画具の先端に近接するピクセルは、フリンジ電場を描画具の電極間に発生させることによって消去されてもよい。
【００３８】
本発明は、本開示において、消去可能電子ディスプレイを提供する。ディスプレイは、パターン化された電極（例えば、互いに組み合わせられた電極）を含む、バックプレーンを有してもよい。ディスプレイを大域的または領域別に消去するために、バックプレーン内の隣接する電極は、フリンジ電場（例えば、フリンジ電場）がディスプレイ媒体を通して形成されるように、異なる電位（例えば、異なる極性の電位）に設定されてもよい。ディスプレイがカプセル化された電気泳動媒体を使用する場合、フリンジ電場は、ディスプレイ媒体のカプセルの内容物を旋回させ、それによって、ディスプレイ全体を通して、またはアクティブ化される電極によって被覆される領域内のカプセルを「消去」してもよい。互いに組み合わせられた電極以外の電極構成が、代替として、または加えて、フリンジ電場を生成し、消去を行うために使用されてもよい。
【００３９】
本発明はまた、消去可能電子ディスプレイのための描画具を提供する。描画具は、複数の電極を含んでもよい。ディスプレイを局所的に消去するために、描画具内の隣接する電極は、フリンジ電場がディスプレイ媒体を通して形成されるように、異なる電位（例えば、異なる極性の電位）に設定されてもよい。ディスプレイがカプセル化された電気泳動媒体を使用する場合、フリンジ電場は、ディスプレイ媒体のカプセルの内容物を旋回させ、それによって、描画具の近傍のカプセルを「消去」してもよい。
【００４０】
前述の本発明の種々の側面ならびにさらなる側面が、ここで、以下に詳細に説明されるであろう。これらの側面は、相互に排他的ではない限り、単独で、全て併せて、または２つもしくはそれを上回るものの任意の組み合わせで使用されてもよいことを理解されたい。
【００４１】
図１は、ディスプレイ１０と、モバイル描画具またはスタイラス２０とを備える、描画システム（概して、１００として指定される）を示す。ディスプレイ１０はさらに、ケーシング１２と、ケーシング１２の内側に配置される背面電極層１４と、背面電極層１４に隣接して配置される電気光学媒体１３の層と、ディスプレイ媒体１３に隣接して配置される保護層１８とを備える。
【００４２】
保護層１８は、描画表面としての役割を果たしてもよい。描画具２０は、電荷伝導機構を含んでもよく、筆記デバイス（例えば、スタイラス）であってもよい。ディスプレイ１０は、描画表面に対して移動されるロボットアームまたは電荷搬送印刷ヘッドを用いて機械的にアドレス指定されてもよい。例えば、外部印刷頭部が、描画表面上に描画するために使用されてもよい。道具２０が描画表面に接触すると、道具２０および背面電極層１４は、電磁場（例えば、電場および／または磁場）をディスプレイ媒体１３を横断して印加し、それによって、画像をシステム１００の描画表面上に表示してもよい。
【００４３】
ケーシング１２は、電気光学ディスプレイ媒体１３、背面電極層１４、および／または任意の必要電子機器を保持可能なプラスチック容器（または別の材料の容器）であってもよい。ケーシング１２は、玩具用途のための小サイズから大型のプレゼンテーションディスプレイにおける用途のための大サイズまで及ぶ任意のサイズであってもよく、モバイル描画具２０および／または他の付属品を格納するためのコンパートメントを含んでもよい。
【００４４】
電気光学材料１３は、粒子ベースの電気泳動材料であってもよく、少なくとも２つの相、すなわち、電気泳動造影剤相１７（すなわち、不連続相）と、コーティング／結合相１６（すなわち、連続相）とを含んでもよい。電気泳動相１７は、いくつかの実施形態では、クリアもしくは染色媒体中に分散される単一種の電気泳動粒子、またはクリアもしくは染色媒体中に分散される明確に異なる物理的および電気特性を有する１つを上回る種の電気泳動粒子を含む。いくつかの実施形態では、電気泳動相１７は、カプセル壁１９が電気泳動粒子および懸濁流体を囲繞するようにカプセル化される。電気光学材料１３は、電気泳動および他の電気光学媒体に関する前述の特許ならびに出願に議論される先行技術タイプのいずれかであってもよい。
【００４５】
描画具２０は、例えば、道具２０とディスプレイ１０との間で電気信号を搬送するように構成される１つまたはそれを上回るワイヤによって、ディスプレイ１０に機械的に結合されてもよい。ディスプレイ１０は、道具２０のための電源を提供してもよい。代替として、道具２０は、ワイヤレス（すなわち、道具２０は任意のワイヤによってディスプレイ１０に結合されなくてもよい）であってもよく、その独自の電源を含んでもよい。
【００４６】
図２は、微細な線の描画を可能にするために小さくてもよく、かつ丸みを帯びていてもよい先端２４を伴う、伸長プローブ２２を備える、描画具２０ａ（例えば、スタイラス）を通した概略断面を示す。先端２４は、先端２４の表面と同一平面またはそれに隣接する、電極２６を含んでもよい。電極２６は、先端２４より小さい面積を包含してもよく、１つまたはそれを上回るワイヤ２１を通して電圧源（図示せず）に接続されてもよい。道具２０ａの丸みを帯びた先端は、道具２０ａのより広い面積が描画表面に接触することを可能にする一方、描画表面を貫通せずに、微細な線が描写されることを可能にする。電極２６は、誘電コーティング（図示せず）で被覆され、これは、道具２０ａを保護し、環境への電極２６の暴露を防止する。道具２０ａの先端２４は、エラストマー材料を備えてもよい。
【００４７】
本装置において使用される描画具またはスタイラスは、その先端の中に内蔵された制振機構（例えば、ばね）を含み、描画表面を物理的力（例えば、ユーザの手の運動によって生じる物理的力）から和らげてもよい。
【００４８】
図３Ａは、背面電極層３１４と、ディスプレイ媒体３１６とを備える、ディスプレイユニット３１０を通した断面である。ディスプレイ媒体３１６は、描画表面３４１と背面電極層３１４との間に介在される。背面電極層３１４は、２つまたはそれを上回る電極（例えば、第１の電極３３２および第２の電極３３４）を含んでもよい。２つまたはそれを上回る電極の電位は、独立して制御されてもよく、これは、例えば、本明細書に説明されるように、フリンジ電場を生成するために有益であり得る。
【００４９】
ディスプレイ媒体３１６は、複数のカプセル３４２を備える、電気泳動ディスプレイ媒体であってもよい。図３Ａでは、各カプセル３４２は、実質的にクリアな懸濁流体中に懸濁された異なる（例えば、造影）光学特性を伴う、第１および第２のタイプの粒子を含むが、これは、限定ではなく、ディスプレイ媒体３１６のカプセルは、任意の好適な懸濁流体中に懸濁された任意の好適な数の粒子タイプを含んでもよい。
【００５０】
ディスプレイユニット３１０は、ディスプレイ媒体３１６に隣接して配置される、保護層３１８を含んでもよい。保護層３１８の表面は、描画システムのための描画表面３４１としての役割を果たしてもよい。好適な保護層は、図１を参照して前述されている。ディスプレイユニット３１０のいくつかの変形は、ディスプレイ媒体３１６の描画表面側（「正面」）上に電極を含まなくてもよい。代わりに、ディスプレイ媒体３１６は、モバイル描画具によって外部からアドレス指定されてもよい。
【００５１】
ディスプレイユニット３１０は、背面電極層３１４内の電極の電位を制御することによって、ディスプレイユニット３１０の動作を制御し得る、ディスプレイコントローラ（例えば、制御回路）（図示せず）を含んでもよい。ディスプレイコントローラは、図１を参照して前述のように、電荷発生機構（図示せず）によって背面電極層３１４への電荷の印加を制御することによって、背面電極層３１４内の電極の電位を制御してもよい。ディスプレイコントローラは、任意の好適な処理デバイス（例えば、マイクロコントローラ、マイクロプロセッサ、特定用途向け集積回路等）を使用して実装されてもよい。ディスプレイコントローラは、ディスプレイユニット３１０を「描画モード」または「消去モード」で動作するように選択的に構成してもよい。ディスプレイコントローラは、背面電極層３１４の電極を同一電位（例えば、電気接地）に設定し、それによって、描画具が描画具の電極を異なる電位に設定することによりディスプレイ媒体３１６を外部からアドレス指定することを可能にすることによって、ディスプレイユニット３１０を「描画モード」で動作するように構成してもよい。ディスプレイコントローラは、背面電極層３１４の電極を異なる電位に設定することによって（例えば、ＡＣ電圧を電極層３１４の電極を横断して印加することによって）、描画ユニット３１０を「消去モード」で動作するように構成してもよい。ユーザは、任意の好適な技法（例えば、ディスプレイコントローラに通信可能に結合されるボタンを押下する、ディスプレイコントローラに通信可能に結合されるスイッチをアクティブ化する、音声コマンドを発する、ソフトウェアベースのユーザインターフェースを動作させる等）を使用して入力をディスプレイコントローラに提供することによって、描画システムの動作モードを制御してもよい。描画および消去モードは、以下でさらに詳細に議論される。
【００５２】
図３Ｂは、ディスプレイユニット３１０と、描画具３２０とを含む、ディスプレイシステム３００を通した断面を示す。描画具は、スタイラスであってもよい。描画具の先端の幅３６６は、カプセル３４２の幅３４６の少なくとも２倍であってもよい。代替として、描画具３２０は、印刷ヘッドまたはその一部であってもよい。モバイル描画具のいくつかの実施形態は、図２を参照して前述されている。
【００５３】
道具３２０は、電位３５２に設定され得る、電極（図示せず）を含んでもよい。電位３５２が背面電極層３１４内の対向電極の電位と異なるとき、電場が、道具３２０と背面電極層３１４との間に配置される１つまたはそれを上回るカプセル３４２に印加され、それによって、１つまたはそれを上回るカプセルを対応する光学状態に駆動する。
【００５４】
図３Ｂは、背面電極層３１４の電極が接地される（図３Ｂでは、ゼロで示される）、描画モードで動作する描画システム３００を図示する。背面電極層３１４の電極の接地は、描画モードに必須ではないが、背面電極層３１４の電極を面積全体を通して共通電位に設定することは、その面積全体を通して描画システムの光学特性の均一性を向上させ得る。例えば、背面電極層３１４の電極が、共通電位に設定され、道具３２０が、ディスプレイ媒体を外部からアドレス指定するために使用されるとき、描画システム３００によって表示されるマーキングは、十分に均一な色であり得る。共通電位は、限定ではないが、電気接地を含む、任意の好適な電位であってもよい。
【００５５】
描画モードでは、道具３２０の電極は、電位３５２に維持されてもよい。道具３２０の先端が、ディスプレイ媒体３１６に近接して（例えば、描画表面３４１と接触して）設置されると、背面電極層３１４と描画具の電極との間の電圧差が、描画具の先端に隣接するカプセル３４２を通して電場を背面電極層３１４と描画具の電極との間に形成させるであろう。本電場は、これらのカプセルの内容物を対応する光学状態（例えば、色）に駆動させてもよい。ディスプレイ媒体３１６が双安定（または多安定）であるため、これらのカプセルは、電場が除去された後も（例えば、描画具３２０の先端がカプセルから離れて移動された後も）、その光学状態を留保する。
【００５６】
図３Ｂでは、描画具３２０の電極は、正電位３５２に荷電され、描画具の電極と背面電極層３１４との間に形成される電場は、白色の負に荷電された粒子をカプセルの上部に伴い、黒色の正に荷電された粒子をこれらのカプセルの底部に伴って、カプセル３４２ｂ−３４２ｄを白色状態に駆動する。描画具３２０によってアドレス指定されないカプセル３４２ａおよび３４２ｅ−ｇは、グレー状態に留まり、白色および黒色粒子は、各カプセル全体を通して均一に分散される。
【００５７】
図３Ｂに示される光学状態および電位は、非限定的実施例である。カプセル３４２は、カプセルのグレー状態の色が灰色であるように、実質的にクリアな懸濁流体中に分散されるほぼ等量の黒色および白色インク粒子を含んでもよい。代替として、カプセル３４２は、カプセルのグレー状態の色が実質的に白色であるように、黒色インク粒子より多くの白色インク粒子を含んでもよい。描画具３２０の電極は、背面電極層３１４に対して正または負電位に荷電され、それぞれ、描画具の先端の近傍におけるカプセルを白色または黒色状態に駆動してもよい。したがって、描画システム３００は、例えば、ユーザが、カプセル３４２の組成物ならびに描画具３２０および背面電極層３１４の相対的電位に応じて、灰色上黒色、灰色上白色、または白色上黒色を描画することを可能にしてもよい。
【００５８】
道具３２０は、描画具の電極の電位を制御することによって描画具３２０の動作を制御し得る、道具コントローラ（例えば、制御回路）（図示せず）を含んでもよい。道具コントローラは、電荷発生機構（図示せず）によって電極の電荷の印加を制御することによって、描画具の電極の電位を制御してもよい。電荷発生機構のいくつかの実施形態は、前述の通りである。道具コントローラは、任意の好適な処理デバイス（例えば、マイクロコントローラ、マイクロプロセッサ、特定用途向け集積回路等）を使用して実装されてもよい。
【００５９】
道具コントローラは、第１の光学状態（例えば、第１の色）または第２の光学状態（例えば、第２の色）で描画するように描画具３２０を選択的に構成してもよい。道具コントローラは、描画具の電極を背面電極層３１４に対して負電位に設定することによって第１の光学状態で、描画具の電極を背面電極層３１４に対して正電位に設定することによって第２の光学状態で描画するように描画具３２０を構成してもよい。ユーザは、任意の好適な技法を使用して（例えば、道具コントローラに通信可能に結合されるボタンを押下する、道具コントローラに通信可能に結合されるスイッチをアクティブ化する、音声コマンドを発する、ソフトウェアベースのユーザインターフェースを動作させる等）、入力を道具コントローラに提供することによって描画具の動作を制御してもよい。
【００６０】
図３Ｃは、消去モードにおける第２の状態にある描画ユニット３１０を通した断面を示す。消去モードでは、電圧（「消去電圧」）が、背面電極層３１４の隣接する電極間に確立され、それによって、電場を電極間に形成させてもよい。得られたフリンジ電場は、カプセル３４２を透過し、それらをグレー状態に駆動する。フリンジ電場は、電気浸透流をカプセル３４２内に誘発し得、これは、カプセル内の粒子を「旋回」させ得る（例えば、ランダムに混合させる）。粒子の旋回は、カプセルをグレー状態に迅速かつ効率的に駆動し得る。ディスプレイ媒体３１６を効率的に消去するために好適な「消去電圧」のいくつかの実施形態および電極層３１４の構成は、以下に説明される。
【００６１】
ディスプレイ媒体３１６（またはその一部）は、ディスプレイ媒体の同一側上の電極（例えば、背面電極層３１４内の電極３３２および３３４）を横断して「消去電圧」を確立することによって消去されてもよい。消去電圧を確立するために電極に印加される電位は、同一極性または反対極性を有してもよい。図３Ｃでは、電極３３２および３３４に印加される電位は、それぞれ、「＋」および「−」記号によって示されるように、反対極性を有する。消去電圧の振幅は、典型的には、１０〜２４０ボルト、好ましくは、１０〜１２０ボルトであってもよい。消去電圧は、ＡＣ電圧であってもよく、これは、１〜１０００Ｈｚ（例えば、１０〜１００Ｈｚまたは１０〜６０Ｈｚ）の周波数を有してもよい。代替として、消去電圧は、ＤＣ電圧であってもよい。しかしながら、ＡＣ消去電圧は、ディスプレイ媒体の消去される部分を横断してより均一な光学状態を産生する傾向にあり得る一方、ＤＣ消去電圧は、ディスプレイ媒体の消去される部分を横断してより細いストライプを産生する傾向にあり得る。
【００６２】
消去電圧の印加によって誘発される粒子の旋回は、電気泳動粒子をランダムに混合させ得る。カプセルの電気泳動粒子をランダムに混合させることによって、消去電圧は、カプセルの前の光学状態にかかわらず、カプセルをグレー状態に駆動し得、したがって、要求される消去電圧は、カプセルの前の光学状態に依存しない。また、消去電圧がディスプレイ媒体３１６に隣接する電極に印加されると、ディスプレイ媒体のその部分の好適な消去が、いくつかの実施形態では、比較的に短い時間期間（例えば、１秒未満）にわたって消去電圧を印加することによって達成され得る。
【００６３】
電極層３１４の電極は、互いに組み合わせられ、消去を促進してもよい。図３Ｄは、互いに組み合わせられた電極３３２および３３４を伴う、背面電極層３１４の上部平面図である。互いに組み合わせられた電極の桁間間隙３７９、桁幅３７７、およびピッチ３７５は、少なくとも部分的に、カプセル３４２の幅３４６（「インク幅」）および厚さ３４８（「インク厚さ」）に基づいて判定されてもよい。インク幅３４６の公称値は、５０ミクロンであってもよく、インク厚さ３４８の公称値は、２０ミクロンであってもよい。
【００６４】
互いに組み合わせられた電極は、任意の好適な寸法を有してもよいが、消去モードにおける性能を向上させるいくつかの電極構成が、描画モードにおける性能を妨害し得、その逆も同様であることが経験的に観察されている。例えば、描画モードでは、性能は、互いに組み合わせられた電極の桁間の桁間間隙３７９が可能な限り小さいとき、均一電位に設定される電極層３１４の面積の増加が描画システムの外部アドレス指定の分解能を改良し得るため、向上され得る。同様に、外部アドレス指定の分解能は、互いに組み合わせられた電極の各伸長部分の幅３７７がカプセルの幅３４６とほぼ等しいときと、各カプセル３４２が伸長部分の上部に心合されるとき、描画モードにおいて向上され得る。対照的に、消去モードでは、性能は、互いに組み合わせられた電極の桁間間隙３７９および桁幅３７７の両方が、インクカプセルの厚さ３４８とインクカプセルの幅３４６の２倍との間にあるとき、これらの構成が、フリンジ電場を産生させ、これが電気泳動粒子をより均一に混合させ得るため、向上され得る。
【００６５】
描画モードおよび消去モードの両方において好適な性能を提供する、電極構成（例えば、外部アドレス指定のための好適な分解能および消去されるカプセル間の好適な均一性を提供する、電極構成）が、識別されている。互いに組み合わせられた電極の桁間間隙３７９、桁幅３７７、およびピッチ３７５は、それぞれ、インク幅３４６の半分（例えば、２５ミクロン）、インク幅３４６の半分（例えば、２５ミクロン）、およびインク幅（例えば、５０ミクロン）に等しくてもよい。
【００６６】
図３Ｄにおける背面電極層３１４は、ディスプレイ媒体３１６全体の下にある、単一の対の互いに組み合わせられた電極を含むが、これは、必須ではなく、背面電極層３１４の電極は、電極を好適な電位に設定することがディスプレイ媒体３１６のカプセルを消去するために好適なフリンジ電場を発生させるように、任意の好適なパターンで構成されてもよい。背面電極層３１４の電極は、互いに組み合わせられなくてもよい。電極は、電極への好適な電位の印加が、ディスプレイ媒体３１６を消去し、パターンをディスプレイ媒体３１６上に形成させるように構成されてもよい（例えば、罫線付きの紙のシート上の線が判読可能な筆記を促進する様式に類似する、ディスプレイ媒体上での判読可能な筆記を促進するための線のパターン）。
【００６７】
背面電極層は、ディスプレイ媒体３１６の対応する領域の消去を制御するように構成される、２つまたはそれを上回る電極のセットを含んでもよい。領域別消去動作では、消去電圧が、１つの電極のセットに印加され、ディスプレイ媒体３１６の対応する領域を消去してもよい一方、領域間消去動作では、消去電圧が、２つまたはそれを上回る電極のセットに印加され、ディスプレイ媒体３１６の対応する領域を消去してもよく、大域的消去動作では、消去電圧が、電極の全セットに印加され、ディスプレイ媒体３１６の全領域を消去してもよい。これらの動作は、ディスプレイコントローラを通してユーザによって制御されてもよい。
【００６８】
図４Ａおよび４Ｂは、それぞれ、相互から絶縁される２つまたはそれを上回る電極２６を含む、描画具２０ｂの概略断面および下面平面図である。１つまたはそれを上回る電圧が、電極２６の全部または一部に印加され、描画具によってディスプレイデバイス上に描画される線の幅および／または形状を制御してもよい。例えば、電磁場が電極２６ａのみを通して印加されると、細い線が、描画表面上に描画されてもよい。しかしながら、電磁場が電極２６ａおよび２６ｂの両方を通して印加されると、より太い線が、描画されてもよく、さらに太い線が、電磁場が３つの電極２６ａ、２６ｂ、および２６ｃを通して印加されると、描画されてもよい。描画される線の幅は、ディスプレイ媒体を横断して印加された電圧を変動させること以外によって制御されてもよい。例えば、印加される電圧のデューティサイクルもしくは大きさおよび／または持続時間が、変動されることができる。
【００６９】
描画具２０ｂは、電極２６の電位を制御することによって、描画具２０ｂの動作を制御し得る、道具コントローラ（例えば、制御回路）２７を含んでもよい。コントローラ２７は、前述のように、電荷発生機構（図示せず）によって電極への電荷の印加を制御することによって、電極２６の電位を制御してもよい。コントローラ２７は、任意の好適な処理デバイス（例えば、マイクロコントローラ、マイクロプロセッサ、特定用途向け集積回路等）を使用してもよい。
【００７０】
コントローラ２７は、第１の光学状態（例えば、第１の色）または第２の光学状態（例えば、第２の色）で描画するように描画具２０ｂを選択的に構成してもよい。コントローラは、電極２６を描画システムの背面電極層に対して負電位に設定することによって第１の光学状態で描画し、電極２６を描画システムの背面電極層に対して正電位に設定することによって第２の光学状態で描画するように描画具２０ｂを構成してもよい。ユーザは、任意の好適な技法を使用して（例えば、道具コントローラに通信可能に結合されるボタンを押下する、道具コントローラに通信可能に結合されるスイッチ２５をアクティブ化する、音声コマンドを発する、ソフトウェアベースのユーザインターフェースを動作させる等）、入力を道具コントローラに提供することによって描画具の動作を制御してもよい。
【００７１】
図５Ａは、ディスプレイユニット５１０がモバイル描画具５２０によって印加されたフリンジ電場によって消去され得る、第１の状態における描画システム５００を通した断面である。描画システム５００は、多くの点において描画システム３００に類似し得る。例えば、描画システム５００は、ディスプレイデバイス５１０と、モバイル描画具５２０とを含んでもよい。ディスプレイデバイス５１０は、背面電極層５１４と、保護層５１８と、背面電極層と保護層との間に配置されるディスプレイ媒体５１６とを含んでもよい。ディスプレイ媒体５１６は、複数のカプセル５４２を含み得る、電気泳動ディスプレイ媒体を備えてもよい。保護層５１８の１つの表面は、描画表面５４１としての役割を果たしてもよい。ディスプレイデバイス５１０は、背面電極層５１４の電位を制御し得る（例えば、電荷発生機構によって背面電極層５１４への電荷の印加を制御することによって）、ディスプレイコントローラ（例えば、制御回路）（図示せず）を含んでもよい。
【００７２】
しかしながら、描画システム５００は、いくつかの点において描画システム３００と異なる。背面電極層５１４は、ディスプレイ媒体５１６の下にある単一電極（例えば、プレート電極）を備えてもよい。しかしながら、これは、必須ではなく、背面電極層５１４は、任意の好適な数および／または構成の電極を備えてもよい。ディスプレイコントローラは、背面電極層５１４の電極を一定電位（例えば、電気接地）に設定するように構成されてもよい。ディスプレイ媒体５１６は、２つまたはそれを上回る電極５６２と、電極５６２の電位を制御することによって道具５２０の動作を制御するように構成される、道具コントローラ（例えば、制御回路）（図示せず）とを含み得る、モバイル描画具５２０によって、外部からアドレス指定されてもよい。コントローラは、２つもしくはそれを上回る光学状態（例えば、色）のうちの１つで描画する、またはディスプレイ媒体５１６の一部を消去するように描画具５２０を選択的に構成してもよい。
【００７３】
電極５６２の電位５５２が、背面電極層５１４の電位と異なるとき、電場が、描画具５２０と背面電極層５１４との間に配置される１つまたはそれを上回るカプセル５４２に印加され、それによって、１つまたはそれを上回るカプセルを対応する光学状態に駆動するであろう。したがって、コントローラは、１つまたはそれを上回る電極５６２を背面電極層５１４に対して正電位に設定し、残りの電極５６２が電気的に浮動状態または背面電極層５１４と同一電位に設定されることによって、第１の光学状態（例えば、色）で描画するように描画具５２０を制御してもよい。代替として、コントローラは、１つまたはそれを上回る電極５６２を背面電極層５１４に対して負電位に設定し、任意の残りの電極５６２が電気的に浮動状態または背面電極層５１４と同一電位に設定されることによって、第２の光学状態（例えば、色）で描画するように道具５２０を制御してもよい。
【００７４】
図５Ａは、ディスプレイ媒体５１６上で描画するために使用される道具５２０と、接地された背面電極層５１４と、背面電極層の電位に対して正電位に設定される電極５６２とともに、「描画モード」で動作する描画システム５００を示す。したがって、道具５２０によってアドレス指定されるカプセルは、グレー状態から白色状態に駆動される。
【００７５】
図５Ａに示される光学状態および電位は、限定ではない。前述のように、道具５２０がディスプレイ媒体を駆動する光学状態は、道具５２０と背面電極層５１４との間の電圧と、カプセル５４２の内容物（例えば、電気泳動粒子および懸濁流体の光学特性ならびに相対的量）とに依存する。背面電極層５１４は、描画モードでは、限定ではないが、電気接地を含む、任意の好適な電位に設定されてもよく、１つまたはそれを上回る電極５６２が、描画モードでは、限定ではないが、背面電極層５１４の電位を上回る第１の電位または背面電極層５１４の電位未満の第２の電位を含む、任意の好適な電位に設定されてもよく、第１および第２の電位は、それぞれ、ディスプレイ媒体５１６の第１および第２の光学状態に対応する。
【００７６】
図５Ｂは、消去モードで動作する描画システム５００を通した断面を示す。消去モードでは、１つまたはそれを上回る電圧（「消去電圧」）が、道具５２０の隣接する電極間に確立され、それによって、電場と関連付けられたフリンジ電場が描画具の先端に隣接するカプセル５４２に透過し、それらのカプセルをグレー状態に駆動し（例えば、カプセルの内容物を旋回させることによって）、それによって、描画具の先端に対して局所的な面積内のカプセルを消去するように、これらの電場を電極間に形成させてもよい。ディスプレイ媒体５１６を消去するために好適な描画具の電極の「消去電圧」および構成は、以下に説明される。
【００７７】
道具５２０の先端に隣接するディスプレイ媒体５１６の一部は、道具５２０の電極を横断して「消去電圧」を確立することによって消去されてもよい。消去電圧を確立するために電極に印加される電位は、同一極性、または図５Ｂに示されるように、反対極性を有してもよい。消去電圧の大きさは、典型的には、１０〜２４０ボルト、好ましくは、１０〜１２０ボルトであってもよい。消去電圧は、ＡＣ電圧であってもよく、１〜１０００Ｈｚ（例えば、１０〜１００Ｈｚまたは１０〜６０Ｈｚ）の周波数を有してもよい。代替として、消去電圧は、ＤＣ電圧であってもよい。描画具の先端に隣接するディスプレイ媒体の部分の好適な消去は、比較的に短い時間期間（例えば、１秒）にわたって消去電圧を描画具の電極に印加することによって達成され得る。
【００７８】
好適な電極構成に関して、描画システム３００の背面電極層３１４内で電極に適用される同一考慮点はまた、描画具５２０の電極５６２にも適用可能である。描画具の先端内の隣接する電極５６２間の間隙５７９、電極５６２の幅５７７、および電極５６２のピッチ５７５は、少なくとも部分的に、カプセル５４２の幅（「インク幅」）および厚さ（「インク厚さ」）に基づいて判定されてもよい。電極間間隙５７９、電極幅５７７、および電極ピッチ５７５は、それぞれ、例えば、インク幅の半分（例えば、２５ミクロン）、インク幅の半分（例えば、２５ミクロン）、およびインク幅（例えば、５０ミクロン）に等しくてもよい。道具５２０の電極は、電極をディスプレイ媒体５１６のカプセルを消去するために好適なフリンジ電場を発生させるために好適な電位に設定するように、任意の好適なパターンで構成されてもよい。電極５６２は、図４Ａおよび４Ｂに示されるように、同心円形で配列されてもよい。
【００７９】
道具コントローラは、道具５２０を制御し、消去電圧を道具の電極の２つまたはそれを上回るものの間に確立することによって、道具の先端に隣接する１つまたはそれを上回るカプセルを消去してもよい。道具５２０内の任意の残りの電極５６２は、電気的に浮動状態または背面電極層５１４と同一電位に設定されてもよい。
【００８０】
図５Ｂでは、背面電極層５１４は、接地され、消去電圧は、道具５２０の電極５６２ａと５６２ｂとの間に確立される。描画具の電極間の電圧は、電場を電極間に形成させ、フリンジ電場は、カプセル５４２ｂ−ｄを透過し、それによって、カプセル５４２ｂ−ｄを消去する。図５Ｂに示される光学状態および電位は、非限定である。
【００８１】
描画システム３００および描画システム５００の側面は、組み合わせられてもよい。例えば、描画システムは、ディスプレイ媒体の領域別、領域間、および／または大域的消去を行うように構成可能な２つまたはそれを上回る電極を伴う、背面電極層３１４と、ディスプレイ媒体上で描画し、および／またはディスプレイ媒体の局所的消去を行うように構成される、描画具５２０とを含んでもよい。
【００８２】
本発明は、カラー描画システム（例えば、３つもしくはそれを上回る色で描画するための描画システム、および／または黒色、白色、もしくは灰色以外の少なくとも１つの色で描画するための描画システム）に適用されることができる。そのようなカラー描画システムは、カラーディスプレイ媒体の領域別、領域間、および／または大域的消去を行うように構成可能な２つもしくはそれを上回る電極を伴う背面電極層を有する、カラーディスプレイユニットを含んでもよい。大域的消去（または領域別もしくは領域間消去）は、色を選択し、ディスプレイユニット上で描画することに先立って、カラーディスプレイユニット（またはその一部）を中間光学状態にリセットするために行われてもよい。カラー描画システムは、ディスプレイ媒体上で描画する（例えば、３つもしくはそれを上回る色、および／または黒色、白色、もしくは灰色以外の少なくとも１つの色で）、および／またはディスプレイ媒体の局所的消去を行うように構成可能な描画具を含んでもよい。カラーディスプレイのために好適な描画具は、電磁場を使用して、異なる電気電荷および／または異なる磁気特性を有し得る、異なる色の粒子を制御してもよい。
【００８３】
図６Ａは、カラー描画システム（概して、６００として指定される）を通した断面である。カラー描画システムの電気泳動ディスプレイ媒体のカプセルは、３つまたはそれを上回る異なるタイプの顔料粒子を含有してもよい。図６Ａでは、各カプセルは、１、２、および３として指定される、３つの異なるタイプの顔料粒子を含む。異なるタイプの顔料粒子は、光学的に相互に異なってもよい。例えば、粒子は、反射または透過性であってもよく、白色、黒色、または有色であってもよい。全３つの顔料タイプは、散乱してもよい。これらの異なるタイプの顔料粒子はまた、異なる電気泳動応答を有してもよい。例えば、粒子は、異なるタイプの粒子が電磁場に異なるように応答するように、正に荷電される、負に荷電される、荷電されない、および／または磁性であってもよい。粒子１、２、および３は、透過性顔料粒子であってもよく、粒子１および２は、反対に荷電されてもよく、粒子３は、荷電されず、強磁性または超常磁性であってもよい。例えば、顔料粒子１は、白色であって、負に荷電されてもよく、顔料粒子２は、赤色であって、正に荷電されてもよく、顔料粒子３は、シアン色であって、強磁性または超常磁性であってもよい。
【００８４】
図６Ａでは、カラー描画システム６００のディスプレイユニットは、消去モードで動作しており、ディスプレイユニットのカプセル内の顔料粒子は、中間光学状態にある。カラー描画システム６００のカプセルを通したフリンジ電場の印加は、カプセルの顔料粒子の旋回をもたらし得る。電気的に荷電された粒子は、電場の印加に応答して旋回を開始し得、電気的に荷電された粒子の移動によって生成される流体運動は、任意の荷電されない顔料粒子（例えば、荷電されない磁気顔料粒子）を効果的に旋回させ得る。
【００８５】
描画具は、電場、磁場、および／または電磁場をカラーディスプレイユニットに選択的に印加してもよい。前述のように、ユーザは、任意の好適な技法を使用して入力を描画具の道具コントローラに提供することによって、描画具の動作モードを制御してもよい。
【００８６】
図６Ｂ−６Ｄは、３つの光学状態で動作するカラー描画システム６００の断面図を示す。図６Ｂでは、ディスプレイユニットは、描画モードで動作しており、描画具は、磁場を以前に消去された状態であったディスプレイユニットのカプセル上に付与しており、それによって、磁気顔料粒子３をカプセルの正面表面（図示されるような上側表面）に持って来る。図６Ｃでは、ディスプレイユニットは、描画モードで動作しており、描画具は、正電圧を以前に消去された状態であったディスプレイユニットのカプセルを横断して生成しており、それによって、負に荷電された顔料粒子１をカプセルの正面表面に持って来る。図６Ｄでは、ディスプレイユニットは、描画モードで動作しており、描画具は、負電圧を以前に消去された状態であったディスプレイユニットのカプセルを横断して生成しており、それによって、正に荷電された顔料粒子２をカプセルの正面表面に持って来る。
【００８７】
図６Ａ−６Ｄに示される光学状態によって産生される色は、表１に示される。
【００８８】
【表１】
2019197226.tif 000003
【００８９】
別の類似ディスプレイでは、粒子タイプ１は、負電気電荷を伴う透過性マゼンタ色であってもよく、粒子タイプ２は、正電気電荷を伴う透過性黄色であってもよく、粒子タイプ３は、透過性シアン色および磁性であってもよい。流体は、ディスプレイユニットのカプセルの視認表面近傍の顔料粒子のみがユーザに可視となるように、十分な中立（例えば、荷電されていない、非磁性）白色粒子を含んでもよい。そのような粒子を伴うカプセルを有するカラーディスプレイは、表２に示されるようにアドレス指定され、表２に列挙される色を産生してもよい。
【００９０】
【表２】
2019197226.tif 000004
【図１】
2019197226.tif 000005
【図２】
2019197226.tif 000006
【図３Ａ】
2019197226.tif 000007
【図３Ｂ】
2019197226.tif 000008
【図３Ｃ】
2019197226.tif 000009
【図３Ｄ】
2019197226.tif 000010
【図４Ａ】
2019197226.tif 000011
【図４Ｂ】
2019197226.tif 000012
【図５】
2019197226.tif 000013
【図６Ａ】
2019197226.tif 000014
【図６Ｂ】
2019197226.tif 000015
【図６Ｃ】
2019197226.tif 000016
【図６Ｄ】
2019197226.tif 000017
【外国語明細書】
2019197226000001.pdf